(57)【要約】【課題】忘れ物防止機能及び忘れ物探索機能の結果を使用者に確実に報知して、管理したい物品を確実に管理できるようにする。【解決手段】管理対象の物品に装着される無線タグのＩＤコードを記憶媒体に記憶するＩＤコード記憶手段と、管理対象の物品に装着された無線タグと通信し、そのＩＤコードを読み取る無線タグ読取手段と、前記無線タグ読取手段により読み取られたＩＤコードと、前記記憶媒体に記憶されているＩＤコードとを照合する照合手段と、前記照合手段による照合結果を前記使用者に報知する警報音発生装置、振動発生装置、発光装置を有する報知手段と、前記警報音発生装置、振動発生装置、発光装置の何れを動作させるか選択する選択手段とを有する。【選択図】図５
2016091273.tif 000002
【特許請求の範囲】
【請求項１】
使用者の身体に装着されて使用される物品管理装置であって、
管理対象の物品に装着される無線タグのＩＤコードを記憶媒体に記憶するＩＤコード記憶手段と、
管理対象の物品に装着された無線タグと通信し、そのＩＤコードを読み取る無線タグ読取手段と、
前記無線タグ読取手段により読み取られたＩＤコードと、前記記憶媒体に記憶されているＩＤコードとを照合する照合手段と、
前記照合手段による照合処理の結果を前記使用者に報知する警報音発生装置、振動発生装置、発光装置を有する報知手段と、
前記警報音発生装置、振動発生装置、発光装置の何れを動作させるか選択する選択手段とを有し、
前記無線タグ読取手段は、予め設定された所定の距離内において前記無線タグと通信可能に構成され、
前記報知手段は、
前記無線タグ読取手段が予め設定された所定の距離内において、前記記憶媒体に記憶されているＩＤコードの何れかの読み取りに失敗した場合に動作する忘れ物防止モードと、
前記無線タグ読取手段が予め設定された所定の距離内において、前記記憶媒体に記憶されているＩＤコードの何れかを読み取った場合に動作する忘れ物探索モードとを有することを特徴とする物品管理装置。
【請求項２】
前記予め設定された所定の距離は、８０センチ〜１２０センチであることを特徴とする請求項１に記載の物品管理装置。
【請求項３】
前記忘れ物防止モードまたは忘れ物探索モードを設定する動作モード切り換え手段を有することを特徴とする請求項１または２に記載の物品管理装置。
【請求項４】
前記無線タグは、管理対象の物品に貼り付けるシート状に構成されていることを特徴とする請求項１〜３の何れか１項に記載の物品管理装置。
【請求項５】
前記無線タグは、クレジットカード形状、携帯ストラップ形状、キーホルダー形状に構成されていることを特徴とする請求項１〜３の何れか１項に記載の物品管理装置。
【請求項６】
使用者の身体に物品管理装置が装着されていることを検出する装着状態検出手段を有し、
前記報知手段は、
前記装着状態検出手段により、物品管理装置が使用者の身体に装着されていると検出された場合に忘れ物防止モードで動作し、
前記装着状態検出手段により、物品管理装置が使用者の身体に装着されていないと検出された場合に忘れ物探索モードで動作することを特徴とする請求項１に記載の物品管理装置。
【請求項７】
コンピュータを、請求項１〜６の何れか１項に記載の物品管理装置の各手段として実行させることを特徴とするプログラム。
【発明の詳細な説明】
【技術分野】
【０００１】
本発明は物品管理装置及びプログラムに関し、特に、生活拠点から持ち出した物品を忘れたり盗まれたりするのを防止するために用いて好適な技術に関する。
【背景技術】
【０００２】
特許文献１には管理物品にシール状受信機を貼り付け、電波信号を送信機から送信し、受信機が近隣に存在するか否かを検知する物品管理システムが開示されている。この物品管理システムではさらに、受信機までの距離や方向を取得することにより、物品を効率良く探索することができる。
【０００３】
特許文献２には、所有者が所持する送信機から電波を送信し、これを手荷物や携行品に装着された受信機により受信し、送信機と受信機とが離れて、受信機で受信される電波の電界強度が基準強度以下になった場合に、これを検知して警報を発生する忘れ物予防検知器が開示されている。
【０００４】
特許文献３には、忘れ物防止機能と忘れ物探索機能とを備え、忘れ物防止機能は、送信機と受信機とが所定の距離以上離れると警報音を発生し、忘れ物探索機能は、送信機と受信機とが所定の距離以上近づくと警報音を発生する忘れ物防止装置が開示されている。
【先行技術文献】
【特許文献】
【０００５】
【特許文献１】特開２００２−３３８０１３号公報
【特許文献２】特開平８−１６１６５３号公報
【特許文献３】特開平６−４４４７５号公報
【発明の概要】
【発明が解決しようとする課題】
【０００６】
特許文献１では、送信機（コントローラ）と受信機（シール）とが電波信号を受信することにより、送信機から受信機までの距離や方向を検知できる。しかしながら、電波信号が届かない場合には受信機の位置を特定できない。
【０００７】
特許文献２、３ではいずれも、送信機と受信機との距離が所定の距離以上に離れると警報音を発生するように構成されているが、雑踏の中や騒音の大きな場所では、警報音が周囲の騒音に紛れてしまい、忘れ物が検知されたにもかかわらず、所有者がこれを認識できない場合がある。したがって、従来は管理したい物品を確実に管理することができない問題点があった。
本発明は前述の問題点に鑑み、忘れ物防止機能及び忘れ物探索機能の結果を使用者に確実に報知して、管理したい物品を確実に管理できるようにすることを目的とする。
【課題を解決するための手段】
【０００８】
本発明の物品管理装置は、使用者の身体に装着されて使用される物品管理装置であって、管理対象の物品に装着される無線タグのＩＤコードを記憶媒体に記憶するＩＤコード記憶手段と、管理対象の物品に装着された無線タグと通信し、そのＩＤコードを読み取る無線タグ読取手段と、前記無線タグ読取手段により読み取られたＩＤコードと、前記記憶媒体に記憶されているＩＤコードとを照合する照合手段と、前記照合手段による照合結果を前記使用者に報知する警報音発生装置、振動発生装置、発光装置を有する報知手段と、前記警報音発生装置、振動発生装置、発光装置の何れを動作させるか選択する選択手段とを有し、
前記無線タグ読取手段は、予め設定された所定の距離内において前記無線タグと通信可能に構成され、
前記報知手段は、
前記無線タグ読取手段が予め設定された所定の距離内において、前記記憶媒体に記憶されているＩＤコードの何れかの読み取りに失敗した場合に動作する忘れ物防止モードと、
前記無線タグ読取手段が予め設定された所定の距離内において、前記記憶媒体に記憶されているＩＤコードの何れかを読み取った場合に動作する忘れ物探索モードとを有することを特徴とする。
【発明の効果】
【０００９】
本発明によれば、忘れ物防止機能及び忘れ物探索機能の結果を使用者に確実に報知することが可能となるので、管理したい物品を確実に管理することが可能となる。
【図面の簡単な説明】
【００１０】
【図１】本発明の実施形態に係る物品管理装置の概略を示す図である。
【図２】本発明の実施形態に係るＲＦＩＤタグを種々の物品に取り付けた様子を説明する図である。
【図３】本発明の実施形態に係る物品管理装置の概略構成を示すブロック図である。
【図４】本発明の実施形態に係るＲＦＩＤタグの概略構成を示すブロック図である。
【図５】本発明の物品管理装置において設定される警告距離誤差範囲を説明する図である。
【図６】本発明の実施形態に係る物品と識別コードとの対応関係の一例を示す図である。
【図７】本発明の実施形態に係る物品管理装置の処理動作の一例を説明するフローチャートである。
【発明を実施するための形態】
【００１１】
［第１の実施形態］
図１を参照しながら本実施形態の物品管理装置の全体構成を説明する。
図１に示すように、本実施形態の物品管理装置１００は、物品管理装置本体Ａをリストバンド１２０を介して使用者の腕に装着するリストバンド型に構成されている。
物品管理装置本体Ａは、電源スイッチ１３０、フラッシュライト１４０、充電端子１５０などを備えている。
【００１２】
物品管理装置本体Ａは、リチウムイオンバッテリーを内蔵した充電式のリーダライタとして機能するように構成されており、充電端子１５０にミニＵＳＢ端子を差し込んでリチウムイオンバッテリーを充電することが可能に構成されている。
また、物品管理装置本体Ａは、管理対象物に対応してチップモニタ１７１〜１７４が配設されている。さらに、警報切り換えスイッチとして、警報音切り換えスイッチ１６１、振動（バイブレータ）切り換えスイッチ１６２、発光（フラッシュ）切り換えスイッチ１６３、動作モード切り換えスイッチ１６４が配設されている。
【００１３】
動作モード切り換えスイッチ１６４は、物品管理装置１００の動作モードを設定するためのものであり、物品管理装置１００は忘れ物防止モード、忘れ物探索モードを選択することができる。
【００１４】
物品管理装置１００は、リーダライタ装置として機能するものであり、１つの物品管理装置１００と複数のＲＦＩＤタグとで忘れ物防止システムとして構成される。無線通信は、ＩＳＯ／ＩＥＣ１４４４３の規格を満足するように設計されている。
本実施形態においては、図２に示すように、財布２１０、鍵２２０、定期入れ２３０、携帯電話２４０を管理対象物とした例を説明する。これらの管理対象物には、電波や電磁波で無線通信を行うＲＦＩＤタグ（Radio Frequency IDentification tag）が取り付けられている。
【００１５】
図２の例では、財布２１０にはＲＦＩＤタグ３０Ｂ、鍵２２０にはＲＦＩＤタグ３０Ｃ、定期入れ２３０にはＲＦＩＤタグ３０Ｄ、携帯電話２４０にはＲＦＩＤタグ３０Ｅがそれぞれ取り付けられている。なお、図２においては、説明を簡略化するために、財布２１０、鍵２２０、定期入れ２３０、携帯電話２４０を同じような長方形状に示したが、これらの管理対象物は対象物の名称に応じた形状に構成されている。これらのＲＦＩＤタグＢ、ＲＦＩＤタグＣ、ＲＦＩＤタグＤ、ＲＦＩＤタグＥは、管理対象の物品に貼り付けるシート状に構成されている。
【００１６】
図３は、本実施形態の物品管理装置１００を構成可能なリーダライタの構成例を示すブロック図である。図４は、本実施形態のＲＦＩＤタグを構成可能なＲＦＩＤタグ３０の構成例を示すブロック図である。
図３に示すように、本実施形態のリーダライタ３００は、後述するＲＦＩＤタグ３０とデータの送受信を行うための制御を行うリーダライタ本体３１２と、電波の出力やＲＦＩＤタグ３０へＲＦＩＤタグコマンドデータを送信したり、ＲＦＩＤタグ３０からの応答を受信したりするＲＦＩＤリーダライタアンテナ３１１とを備える。
【００１７】
リーダライタ本体３１２は、送受信部３１３、通信制御部３１４、制御部３１５、電源部３１６、装着状態検出部３１７および警報部３１８とを備える。警報部３１８は、制御部３１５により行われる照合処理の結果を使用者に報知する警報音発生装置、振動発生装置、発光装置とを備える。
ＲＦＩＤタグ３０は、タグアンテナ３１、整流部３２、電源部３３、通信制御部３４、制御部３５、記憶部３６とを備える。
【００１８】
送受信部３１３は、リーダライタアンテナ３１１を用いてＲＦＩＤタグ３０へＲＦＩＤタグコマンドデータを送信したり、その応答を受信したりする。
通信制御部３１４は、ＲＦＩＤタグコマンドデータの送信時の変調や受信時の信号の増幅や復調を行うとともに、通信方法を制御する。制御部３１５は、リーダライタ３００において必要な機能を実現するプログラムを格納するための記憶媒体としてメモリ３１５ａを有し、ＲＦＩＤリーダライタ全体の制御を行う。
【００１９】
具体的には、管理対象の物品に装着される無線タグのＩＤコードをメモリ３１５ａに記憶するＩＤコード記憶処理、管理対象の物品に装着された無線タグと通信し、そのＩＤコードを読み取る無線タグ読取処理、読み取られたＩＤコードと、メモリ３１５ａに記憶されているＩＤコードとを照合する照合処理を行う。
【００２０】
メモリ３１５ａは、ＲＦＩＤタグ３０の識別番号であるタグＩＤ、ＲＦＩＤタグ３０が貼付された財布２１０乃至携帯電話２４０の管理単位の識別情報、その他の情報を記憶する。なお、メモリ３１５ａが管理する識別コードの例については図６に基づいて後述する。電源部３１６は、外部から供給された電力を蓄電するリチウムイオンバッテリーを有し、蓄電している電力を各部に供給する。
【００２１】
装着状態検出部３１７は、使用者の身体に物品管理装置が装着されていることを検出するものであり、例えば３軸の加速度センサにより構成されている。３軸の加速度センサは、汎用的な歩数計などでも利用されてきており、機器の姿勢などを問わずに歩行状態を検知し、使用者の歩数の計測を行える。
【００２２】
本実施形態の物品管理装置１００は、このような３軸の加速度センサの特徴を利用し、使用者が物品管理装置１００を腕に装着すると、その装着を検出して装置を自動で忘れ物防止モードで動作することを可能に構成している。前述したように物品管理装置本体Ａには電源スイッチ１３０が設けられているので、電源スイッチ１３０を操作することで手動で忘れ物防止モードで動作するように設定することも可能である。
【００２３】
ＲＦＩＤタグ３０のタグアンテナ３１は、リーダライタ３００から送信された電波を受信し、リーダライタ３００と信号やデータの送受信を行うために用いられる。
整流部３２は、アンテナ３１から受信した電波を整流する。電源部３３は、整流部３２で整流して得た電圧を検出し、各部に電源を供給する。
【００２４】
通信制御部３４は、受信信号やＲＦＩＤタグコマンドデータの復調を行い、リーダライタ３００に送信するＲＦＩＤの識別コードの変調を行う。
制御部３５は、記憶部３６に記憶されている識別コードに対するアクセス処理、リーダライタ３００への応答データの生成処理など各種処理を実行する。
【００２５】
前述のように構成されたリーダライタ３００は、ＲＦＩＤタグ３０に対し、所定の強度で電波を出力してＲＦＩＤタグコマンドデータを送信する。その電波を受信したＲＦＩＤタグ３０は、タグアンテナ３１で受信した電波に起因する電力により動作し、リーダライタ３００から送信された識別コードを有するＲＦＩＤタグ３０がリーダライタ３００に返信する。
【００２６】
図５に、リーダライタ３００とＲＦＩＤタグ３０との間で行われる近距離無線通信の一例を示す。
リーダライタ３００は、通信距離がＲとなるようにＲＦＩＤタグ３０に電波を送信している。
【００２７】
図５の例では、ＲＦＩＤタグＢ、ＲＦＩＤタグＣ、ＲＦＩＤタグＤ、ＲＦＩＤタグＥが物品管理装置本体Ａから送信された電波を受信可能である。この電波を受信可能である範囲を管理対象物検出範囲として設定している。本実施形態においては、自身と持ち物がその距離を超えてしまい、それに気がつかないで立ち去ると、忘れ物になる可能性が飛躍的に高まる距離を半径Ｒ（１００センチ）以上であると定義する。
【００２８】
このように、半径Ｒ（１００センチ）を管理対象物検出範囲として設定しておけば、自分から持ち物までの距離が１００センチを超えた時点で警報部３１８が動作して警報処理が実行されるので、持ち物に気が付くことになり、その結果忘れ物が発生するのを防止することができる。つまり、自分の持ち物から離れたとしても、おおよそ半径１００センチ以内であれば持ち物は距離的な支配下にあり、そのことに気がつけば、ほとんどすべての場合それを発見することができる。
【００２９】
自分から持ち物までの距離が１００センチと固定する必要はなく、電波状態などを考慮して半径８０センチ〜１２０センチ程度の誤差は問題ない。したがって、実際に使用する場合においては、管理対象物検出範囲は８０センチ〜１２０センチ程度となる。図５において、物品管理装置本体Ａから近距離Ｒ１までが８０センチ、遠距離Ｒ２までが１２０センチである。したがって、リーダライタ３００が忘れ物防止モードで動作している場合には、物品管理装置本体Ａから近距離Ｒ１〜遠距離Ｒ２の間に存在するＲＦＩＤタグがＲＦＩＤタグ３０から送信された電波を受信可能となる。
【００３０】
これにより、管理対象物に付けられているＲＦＩＤタグＢ〜ＲＦＩＤタグＥの何れかが遠距離Ｒ２よりも遠くに移動すると、物品管理装置本体Ａから送信される電波を受信することができなくなるので、忘れ物防止モードで動作している場合には、ＲＦＩＤタグの読み取りに失敗する。この場合、物品管理装置本体Ａの警報部３１８が動作して警報処理が実行される。
また、忘れ物探索モードで動作している場合には、物品管理装置本体Ａから近距離Ｒ１よりも近づくと、物品管理装置本体Ａの警報部３１８が動作して警報処理が実行される。
【００３１】
図６に、メモリ３１５ａに格納されている物品と識別コードの対応関係を示す。
図６に示すように、装置本体には識別コードＡが割り当てられている。また、財布２１０には識別コードＢ、鍵２２０には識別コードＣ、定期入れ２３０には識別コードＤ、携帯電話２４０には識別コードＥがそれぞれ割り当てられている。
【００３２】
次に、物品管理装置１００で行われる忘れ物防止処理の一例について説明する。
図７は、本発明の実施形態に係る物品管理装置の処理の動作を説明するフローチャートである。
物品管理装置１００は、前述したように、使用者が電源スイッチ１３０を操作して物品管理装置本体Ａの電源部３１６をオン状態にする手動モードと、物品管理装置本体Ａが持ち上げられて揺動されたときに装着状態検出部３１７がそれを検出して動作状態となる自動モードとを有する。以下の説明では、自動モードで動作する場合を説明する。
【００３３】
物品管理装置１００は、置かれている状態から使用者によって持ち上げられると、その動きが装着状態検出部３１７によって検出され、物品管理装置１００の動作が開始される（スタート）。
次に、Ｓ７１において、身体に装着されたか否かが判定される。この判定は、物品管理装置１００の装着状態検出部３１７によって搖動が検出されることにより「ＹＥＳ」となり、Ｓ７２に移行する。
【００３４】
次に、Ｓ７２において、予め設定された時間が経過すると、Ｓ７３に進んで、近辺の物品に取付けられたＲＦＩＤタグの読み出しを行う。
次に、Ｓ７４において、メモリ３１５ａに格納されて管理対象物として設定されている全てのタグに係る識別コードを取得したか否かを判定する。設定タグ情報を全て取得した場合にはＳ７６に進んで物品管理装置１００を身体から外したか否かを判断する。外していない場合にはＳ７２に戻り、前述した処理を行う。
【００３５】
一方、Ｓ７４の判定の結果、設定タグ情報を全て取得できなかった場合にはＳ７５に移行する。
Ｓ７５においては、タグ情報を取得できなかったＲＦＩＤタグに係る報知処理を実行する。この報知処理は、制御部３１５により制御されて警報部３１８により実行される。報知処理の内容は、警報音切り換えスイッチ１６１、振動切り換えスイッチ１６２、発光切り換えスイッチ１６３により設定することができる。
【００３６】
警報音切り換えスイッチ１６１、振動切り換えスイッチ１６２及び発光切り換えスイッチ１６３が全てオンに設定されている場合には、警報部３１８に設けられているブザーによる音声出力、バイブレータによる振動出力、ＬＥＤによる発光出力が行なわれる。これにより、物品管理装置１００を身体に装着している使用者は管理対象物が監視対象領域外に出たことを認識することが可能となる。
【００３７】
また、本実施形態においては、管理対象物に対応してチップモニタ１７１〜１７４を配設しているので、監視対象領域外に出た管理対象物に付けられているＲＦＩＤタグＢ〜ＲＦＩＤタグＥに対応するチップモニタ１７１〜１７４を点灯させることにより、監視対象領域外に出た管理対象物を直ぐに特定することができる。
【００３８】
前述の例では、警報音切り換えスイッチ１６１、振動切り換えスイッチ１６２及び発光切り換えスイッチ１６３が全てオンに設定している例を示したが、切り換えスイッチは使用状態に応じて任意にオン／オフすることができる。
例えば、仕事中や会議中、或いは公共の乗り物に乗っている場合には、警報音切り換えスイッチ１６１をオフに設定することにより、周囲に居る人々に迷惑をかけることなく、振動により管理対象物が管理対象範囲外に出たことを使用者に報知することができる。
【００３９】
また、フラッシュライト１４０は暗い箇所では報知機能として有用であるが、明るい箇所では有効に機能しない場合がある。そこで、フラッシュライト１４０をオフにしておくことにより消費電力を削減することができる。フラッシュライト１４０のオン／オフ制御は、発光切り換えスイッチ１６３により設定することができるが、明るさ検出モニタを備えて自動的に行うことができるようにしてもよい。
【００４０】
前述した実施形態においては、物品管理装置本体Ａにブザーを配設した例を示したが、管理対象物に付けられているＲＦＩＤタグＢ〜ＲＦＩＤタグＥにもブザーを配設してもよい。このようにすると、遺失した物品が発見されたときに、その物品に取り付けられたブザーを鳴らすことができるので、自分の持ち物であることを簡単に証明することができる。
【００４１】
また、本実施形態においては、１個の物品管理装置本体Ａに対して４個のＲＦＩＤタグＢ〜ＲＦＩＤタグＥよりなる忘れ物防止システムを構築した例を説明したが、ＲＦＩＤタグの個数は任意である。多数のＲＦＩＤタグを管理対象とする場合には、生活拠点から出かける際に、外出時において管理対象とするＲＦＩＤタグを物品管理装置本体Ａに登録する必要がある。管理対象とするＲＦＩＤタグの個数が多い場合には、手動で登録処理するのは面倒である。
【００４２】
そこで、管理対象とするＲＦＩＤタグ登録モードを設けておき、動作モード切り換えスイッチ１６４を操作して、ＲＦＩＤタグ登録モードに設定することにより、物品管理装置本体Ａの近距離Ｒ１以内に置いてあるＲＦＩＤタグと物品管理装置本体Ａとの間で無線通信を行い、管理対象とするＲＦＩＤタグの識別コードを物品管理装置本体Ａのメモリ３１５ａに登録することができるように構成してもよい。
【００４３】
また、忘れ物防止機能と忘れ物探索機能とを備えている場合に、状況に応じてこれらの機能を使い分ける操作を行う必要がある。例えば、外出時には忘れ物防止機能で動作させているが、生活拠点である自宅に戻った場合には、物品管理装置本体Ａを充電する位置に置き、管理する物品はそれぞれの収納位置に置いたりすることにより、物品管理装置と管理する物品とが所定の距離以上に離れる場合がある。このような場合には、警報音を発生させる必要がないので、忘れ物防止機能をオフにする。
【００４４】
そして、外出するときには忘れ物防止機能を用いて動作させる。この場合は、前述したように物品管理装置本体Ａの近距離Ｒ１以内に管理対象とするＲＦＩＤタグを置いて、ＲＦＩＤタグと物品管理装置本体Ａとの間で無線通信を行うことにより、外出時に管理対象とするＲＦＩＤタグの識別コードを物品管理装置本体Ａのメモリ３１５ａに登録することができる。
【００４５】
また、集団で就寝する際は、管理する物品が紛失することが心配である場合には、管理対象のＲＦＩＤタグＢ〜ＲＦＩＤタグＥを管理対象の設定範囲内に置いて、メインキーである電源スイッチ１３０をオンにしておく。このようにしておけば、他人が近傍に近寄ることが可能な環境であっても就寝中に盗難に合う心配も無くなる。
【００４６】
本実施形態の物品管理装置１００は、前述したように動作するので、外出時における盗難を防止することができるばかりでなく、忘れ物管理する装置として色々と使用することができる。例えば、ビジネスの場面の会議等では、重要な資料等にＲＦＩＤタグを取り付けておけば、重要な資料等の持ち忘れを防ぐことができる。
【００４７】
また、学童等に対しては、その日の授業に必要な教科書及びノート等にＲＦＩＤタグを取り付け、このＲＦＩＤタグ情報と出発時間と授業の時間割を予め物品管理装置に登録していれば、出発時間になった時にその日の時間割通りの教科書及びノートを携行しているか否かをチェックすることができ、その日の時間割通りの教科書及びノート等の持ち忘れを防ぐことができる。
【００４８】
使用する通信として、前述した規格の他に、例えば、ＮＦＣ（Ｎｅａｒ Ｆｉｅｌｄ Ｃｏｍｍｕｎｉｃａｔｉｏｎ）の規格（ＩＳＯ／ＩＥＣ１８０９２（ＮＦＣ ＩＰ−１）、ＩＳＯ／ＩＥＣ２１４８１（ＮＦＣ ＩＰ−２））に基づいて、１３．５６ＭＨｚの電磁波を利用することもできる。また、ＤＳＲＣ（Dedicated Short Range Communication）を用いてもよい。
【００４９】
［第２の実施形態］
前述した第1の実施形態においては、物品管理装置本体Ａをオリジナルのリストバンド型に構成した例を示したが、本発明の物品管理装置はスマートフォンを利用して構成することもできる。
例えば、本発明の物品管理装置として機能させる物品管理アプリケーションと、複数のタッチパッド（例えば、１０枚）をセットとして、システムを構成することができる。
【００５０】
このように構成することにより、物品管理アプリケーションをスマートフォンにインストールした時点で、各々のタッチパッドとスマートフォンとを電気的に接続することが可能なので、面倒な接続作業を行うことなく物品管理システムを構築することができる。また、既存のスマートフォンを用いて物品管理装置本体Ａを構成可能なので、本発明の物品管理装置を安価に構成することができる。
スマートフォンを用いて物品管理システムを構築した場合、スマートフォンが備えている警報音機能、振動機能、発光機能などを前述した第１の実施形態と同様に使用することができる。
【００５１】
［変形例］
前述した実施形態においては、シール形状に構成したＲＦＩＤタグ３０の例を示したが、このような形状の他に種々の形状のＲＦＩＤタグでもよい。例えば、クレジットカード形状、携帯ストラップ形状、キーホルダー形状などの形状であってもよい。
【００５２】
このような形状のＲＦＩＤタグとした場合、シール形状のＲＦＩＤタグ３０をこれらの形状に構成した物品に貼り付ける手間を省略することができるばかりでなく、シール形状のＲＦＩＤタグ３０を貼り付けることが困難な形状にした物品についても、本発明を適用することができる。
【符号の説明】
【００５３】
３０  ＲＦＩＤタグ
１００  物品管理装置
１２０  リストバンド
１４０  フラッシュライト
１５０  充電端子
１６１  警報音切り換えスイッチ
１６２  振動切り換えスイッチ
１６３  発光切り換えスイッチ
１６４  動作モード切り換えスイッチ
１７１〜１７４  チップモニタ
３００  リーダライタ
３１１  ＲＦＩＤリーダライタアンテナ
３１２  リーダライタ本体
３１３  送受信部
３１４  通信制御部
３１５  制御部
３１５ａ  メモリ
３１６  電源部
３１７  装着状態検出部
３１８  警報部
【図１】
2016091273.tif 000003
【図２】
2016091273.tif 000004
【図３】
2016091273.tif 000005
【図４】
2016091273.tif 000006
【図５】
2016091273.tif 000007
【図６】
2016091273.tif 000008
【図７】
2016091273.tif 000009